(57)【要約】【課題】  口腔内へ液体製剤等の組成物を塗布するのに適した綿棒を提供する。【解決手段】  本発明による口腔用組成物塗布用綿棒1は、軸2の端部に取り付けられている綿球3が、長さ９〜１７ｍｍ、および平均径６〜７．３５ｍｍである。上記綿球3は、０．２〜０．４ｇの含浸可能量を有している。また、綿球3の重量は、０．０２５〜０．０４５ｇである。【選択図】  図１
2006280605.tif 000002
【特許請求の範囲】
【請求項１】
軸の端部に取り付けられている綿球が、９〜１７ｍｍの長さ、および６〜７．３５ｍｍの平均径を有していることを特徴とする、口腔用組成物塗布用綿棒。
【請求項２】
前記綿球の短径が５．７５〜６．１５ｍｍ、長径が６．２５〜８．５ｍｍであることを特徴とする、請求項１記載の口腔用組成物塗布用綿棒。
【請求項３】
前記綿球が、０．２〜０．４ｇの含浸可能量を有していることを特徴とする、請求項１または２記載の口腔用組成物塗布用綿棒。
【請求項４】
前記綿球の重量が０．０２５〜０．０４５ｇであることを特徴とする、請求項１〜３のいずれか１つに記載の口腔用組成物塗布用綿棒。
【発明の詳細な説明】
【技術分野】
【０００１】
本発明は、綿棒に関し、より詳細には、口腔内へ液体製剤等の組成物を塗布するための綿棒に関する。
【背景技術】
【０００２】
軸の一端部または両端部に綿球が取り付けられてなる綿棒が、従来より広く知られ、様々な分野で用いられている（例えば下記特許文献１、２参照）。
綿棒の用途としては、大きく分けて医療衛生用と工業用とがある。医療衛生分野における綿棒の用途には、耳や鼻等の清浄（特許文献１参照）、検査用体液の採取（特許文献２）の他、人体への薬剤等の塗布が含まれる。
ところで、歯ぐき等の口腔内に液体製剤を塗布する際にも綿棒が使用されるが、従来の綿棒では、いずれも塗りにくかったり、塗布量が十分でないという問題があった。
【特許文献１】特開２００３−５２５７１号公報
【特許文献２】特開２００４−１５９８７７号公報
【発明の開示】
【発明が解決しようとする課題】
【０００３】
本発明の目的は、口腔内へ液体製剤等の組成物を塗布するのに適した綿棒を提供することにある。
【課題を解決するための手段】
【０００４】
本発明による口腔用組成物塗布用綿棒は、軸の端部に取り付けられている綿球が、９〜１７ｍｍの長さ、および６〜７．３５ｍｍの平均径を有していることを特徴とする。
【０００５】
本発明による口腔用組成物塗布用綿棒において、前記綿球の短径が５．７５〜６．１５ｍｍ、長径が６．２５〜８．５ｍｍであるのが好ましい。
【０００６】
本発明による口腔用組成物塗布用綿棒において、前記綿球が０．２〜０．４ｇの含浸可能量を有しているのが好ましい。
【０００７】
また、本発明による口腔用組成物塗布用綿棒において、前記綿球の重量が０．０２５〜０．０４５ｇであるのが好ましい。
【発明の効果】
【０００８】
本発明によれば、口腔内に適切にかつ十分な量の組成物を塗布することが可能な綿棒が提供される。
【発明を実施するための最良の形態】
【０００９】
図１および図２は、本発明による口腔用組成物塗布用綿棒の実施形態を示すものである。これらの図に示す綿棒(1)は、軸(2)と、軸(2)の両端部に取り付けられた綿球(3)とを備えている。
【００１０】
軸(2)は、その長さ中央に切れ目(21)が入れられている。この綿棒(1)の場合、図１に示す状態で袋（図示略）に収容されて保管されるが、使用時には、使用者が軸(2)の切れ目(21)のところで２つに折って分離し、各分離片を、軸(2)の一端部に綿球(3)が取り付けられた綿棒(1A)(1B)として使用することができる。
軸(2)の材料としては、ポリブチレン、ポリプロピレン、ポリエチレン、ＡＢＳ、ポリエチレンテレフタラート、アクリル樹脂、ポリカーボネートのような合成樹脂、紙、木等の中から適宜のものを用いればよい。軸(2)の太さ(R3)は、通常１．４５〜２．４５ｍｍ程度であるが、この範囲には限定されない。
なお、本発明の綿棒は、図１のような切れ目(21)を軸に形成せずに、軸の両端部または一端部に綿球を取り付けた通常の構造のものであっても勿論よい。
【００１１】
綿球(3)としては、通常、脱脂綿が用いられるが、その他、麻、絹、アセテート、レーヨン、ナイロン、ポリウレタン、ポリエチレン、ポリプロピレン等を用いてもよい。
【００１２】
軸(2)の端部への綿球(3)の取付は、通常、ポリビニルアルコール、ポリアクリル酸、ポリアクリル酸ソーダ、部分けん化ポリアクリル酸ソーダ、酢酸ビニル樹脂、アミノアルキルメタアクリレートコポリマー、セルロース誘導体、ポリビニルピロリドン等の接着剤を使用した接着によって行われる。
【００１３】
各綿球(3)は、楕円形の横断面を有するものとなされている。綿球(3)のサイズは、長さ(L)＝９〜１７ｍｍ、短径(R1)＝５．７５〜６．１５ｍｍ、長径(R2)＝６．２５〜８．５ｍｍとなされている。短径(R1)と長径(R2)の平均値として表すことのできる綿球(3)の平均径は、６〜７．３５ｍｍである。綿球(3)は、０．２〜０．４ｇの含浸可能量を有している。また、綿球(3)の重量は、０．０２５〜０．０４５ｇである。なお、綿球(3)の横断面は、図１および図２に示すような楕円形に限定されず、真円形またはそれに近いものであってもよい。
【００１４】
上記綿棒(1)は、例えばトロポロン類、第四級アンモニウム塩、フェノール、チモール、クレオソート、ヨウ素製剤、抗生物質、アラントイン、グリチルリチン酸、グリチルリチン酸塩、グリチルレチン酸、グリチルレチン酸塩、カンゾウ、トラネキサム酸、アズレンスルホン酸ナトリウム、塩化リゾチーム、カルバゾクロム、塩酸ジブカイン、銅クロロフィリンナトリウム、アスコルビン酸誘導体、トコフェロール誘導体が溶解した液状の組成物を口腔内に塗布するのに用いられる。
【実施例】
【００１５】
実施例１、２および比較例１〜４として、以下の表１に示す綿棒を用意した。
【表１】
2006280605.tif 000003
【００１６】
ここで、表１中の「含浸可能量」は、各綿棒(1)の綿球(3)を水に沈めて直ちに取り出した際の増加重量を測定したものである。
「綿球の長さ、短径、長径」ならびに「軸の太さ」は、０．０１ｍｍまで測定可能なノギスを使用して計測した値である。
「圧縮後復元値」は、図３に示すように、直径２０ｍｍ（先端面積３．１４ｍ２）の感圧軸(4)を有するレオメータ（サン科学製）を用いて、綿棒(1)の綿球(3)を長径方向から加圧力５Ｎ、圧縮速度５ｍｍ／ｍｉｎで圧縮し、加圧力を開放した時点の綿球のサイズ（長径）を測定したものである。
「圧縮後復元率」は、式：［圧縮後の綿球(3)の長径(R2)−軸(2)の太さ(R3)］／［圧縮前の綿球(3)の長径(R2)−軸(2)の太さ(R3)］＊１００によって算出したものである。
また、「綿球の重さ」は、各綿棒(1)の軸(2)より綿球(3)を１０個取り除いて、これらを感度０．０１ｇの量りにて計測したものである。
【００１７】
次に、実施例１、２および比較例１〜４の綿棒について官能評価を実施した。具体的には、１０名のパネルメンバーに、各綿棒を使用して歯ぐきの口唇側および舌側に口腔用薬剤（ヒノキチオール含有液体製剤）を塗布してもらい、歯ぐき（口唇側）への塗りやすさ、歯ぐき（舌側）への塗りやすさ、および薬剤の塗布量を５段階で評価してもらうことにより実施した。
【００１８】
結果は、以下の表２に示す通りである。なお、各綿棒についての評点は、回答者数に「スコア」行の点数を掛け合わせて算出したものである。
【表２】
2006280605.tif 000004
【００１９】
表２から明らかなように、実施例の綿棒は、比較例の綿棒に比べて、歯ぐきに塗りやすい上、薬剤塗布量も適切であることがわかる。
【図面の簡単な説明】
【００２０】
【図１】本発明の実施形態を示すものであって、口腔用組成物塗布用綿棒の正面図である。
【図２】図１の綿棒の側面図である。
【図３】綿棒における綿球の圧縮後復元値を測定する方法を示す斜視図である。
【符号の説明】
【００２１】
(1)：口腔用組成物塗布用綿棒
(2)：軸
(3)：綿球
【図１】
2006280605.tif 000005
【図２】
2006280605.tif 000006
【図３】
2006280605.tif 000007